【事件の表示】
　特願２０１２−５１０４０１「通信手段を持つ埋め込み型デバイス」拒絶査定不服審判事件〔平成２２年１１月１８日国際公開、ＷＯ２０１０／１３１１５７、平成２４年１１月１日国内公表、特表２０１２−５２６５８７〕について、次のとおり審決する。
【結　論】
　本件審判の請求は、成り立たない。
【理　由】
第１　手続の経緯
　本願は、２０１０年（平成２２年）５月４日（パリ条約による優先権主張　外国庁受理２００９年（平成２１年）５月１５日、（ＥＰ）欧州特許庁）を国際出願日とする出願であって、その手続の経緯は以下のとおりである。
　平成２３年１１月　４日　　　国内書面の提出
　平成２６年　２月２７日付け　拒絶理由の通知
　平成２６年　５月３０日　　　意見書、手続補正書の提出
　平成２６年１０月３０日付け　拒絶査定
　平成２７年　３月　４日　　　審判請求書、手続補正書の提出
　　
第２　審判請求時の補正の検討
　審判の請求と同時にされた、平成２７年３月４日にされた手続補正（以下、「本件補正」という。）について検討する。
１　本件補正後の特許請求の範囲の記載
　本件補正は、特許請求の範囲の請求項１５のみに対して、以下のように補正するものである。
「【請求項１５】
　制御ユニットと送信機とを含む埋め込み型デバイスから搬送者へと情報を通信する
ときの埋め込み型デバイスの作動
　前記制御ユニットが、前記埋め込み型デバイスを囲む体物質へと前記送信機から音を放出するよう制御するステップを有し、
　前記音が、前記埋め込み型デバイスの前記搬送者にとって可聴的な音声である信号を生み出し、
　前記放出された音が、何らかの音声成分を含む変調された超音波周波数を有する、
作動
２　本件補正前の特許請求の範囲の記載
　本件補正前の、平成２６年５月３０日にされた手続補正により補正された特許請求の範囲の請求項１５の記載は以下のとおりである。
「【請求項１５】
　制御ユニットと送信機とを含む埋め込み型デバイスから搬送者へと情報を通信する方法において、
　前記制御ユニットが、前記埋め込み型デバイスを囲む体物質へと前記送信機から音を放出するよう制御するステップを有し、
　前記音が、前記埋め込み型デバイスの前記搬送者にとって可聴的な音声である信号を生み出し、
　前記放出された音が、何らかの音声成分を含む変調された超音波周波数を有する、方法。」
３　検討
　審判請求時の補正は、その目的が限定されている（特許法第１７条の２第５項）ことから、補正の目的について検討する。
　請求人は、審判請求書において、「作動方法であることを明確にした」と述べるにとどまり、その補正の目的について何ら明確に述べていない。そこで、補正の目的をさらに検討すると、請求項１５に係る発明は、その特許請求の範囲の請求項１５に係る記載が適切でないために、特許法第２９条第１項柱書きに規定する要件を満たしていない旨の拒絶の理由が通知されている。よって、審判請求時の請求項１５に係る補正は、当該拒絶の理由に関して、その記載の明瞭化を目的としたものと考えられる。
　よって、審判請求時の補正は、特許法第１７条の２第５項第４号の「明りようでない記載の釈明（拒絶理由通知に係る拒絶の理由に示す事項についてするものに限る。）」を目的とするものであると認められ、かつ、同条第３項、第４項の規定に違反しない適法なものであると認められる。
第３　本件発明
　上記第２で検討したように、本件補正は適法なものであるから、本件補正後の請求項１〜１５に係る発明は、本件補正により補正された特許請求の範囲の請求項１〜１５に記載された事項により特定されるものと認められるところ、その請求項１に係る発明（以下、「本件発明」という。）は、以下のとおりのものである。
「埋め込み型デバイスであって、
　ａ）制御ユニットと、
　ｂ）周囲の体物質へと選択的に音を放出するため前記制御ユニットにより制御される送信機とを有し、
　前記音が、前記埋め込み型デバイスの搬送者にとって可聴的な信号を生み出し、
　前記放出された音が、何らかの音声成分を含む変調された超音波周波数を有する、埋め込み型デバイス。」
第４　引用文献、引用発明
１　刊行物１、引用発明
　原査定の拒絶の理由で引用文献２として引用された、本願の優先日前に頒布された刊行物である米国特許第６３５４２９９号明細書には、次の事項が記載されている。（下線、仮訳は、理解の便のため、当審で付した。）
ア　第１頁
「ABSTRACT
An implantable device incorporating an acoustic transducer
transmitted from an intracranially implanted portion of the device via bone conduction
Parkinson's disease
（参考仮訳：要約
音声変換器を組み込んだ埋め込み型デバイス
骨伝導を介して、装置の頭蓋内に埋め込まれた部分から送信
パーキンソン病
イ　第２欄第１４〜１８行
「The automatic implantable cardiac defibrillator is an example of a decision making device having data recording capability that has been successfully used in a decision based closed-loop mode for the treatment of ventricular fibrillation.」
（参考仮訳：自動埋め込み型心臓除細動器は、心室細動の治療のための閉ループモードに基づく決定を成功裏に用いた、データ記録機能を有する判断装置の一例です。）
ウ　第２欄第５９行〜第３欄２行
「Various cochlear and ossicular implant devices are available that amplify ambient sounds and accordingly stimulate the nerves or bones of the inner or middle ear to provide hearing assistance to individuals with hearing loss. ……Such devices are directed to receiving, amplifying and transmitting sounds present in the external environment; they do not provide any therapy or additional information (not derived from environmental sound) to their users. 」
（参考仮訳：様々な蝸牛と耳小骨インプラント装置は、難聴を持つ個人に聴覚支援を提供するために、周囲の音を増幅し、それに応じて内耳または中耳の神経や骨を刺激することが可能です。……このような装置は、外部環境に存在する音を受信し、増幅して送信することを対象としており、ユーザに任意の治療または（環境音から派生していない）追加情報の提供をしていない。）
エ　第６欄第４〜１０行
「A novel aspect of a preferred embodiment of this invention is that the entire implantable portion of this system for treating neurological disorders lies under the patient's scalp. Such placement will either have the device located between the scalp and the cranium or the within a hole in the cranium. Because of size constraints, the intracranial location is the preferred embodiment. 」
（参考仮訳：本発明の好適な実施形態の新規な点は、神経障害を治療するためのこのシステムの埋め込み可能な可能な部分の全体が、患者の頭皮の下に置かれることです。このような配置では、装置は頭皮と頭蓋骨の間、または頭蓋骨内の穴の中に位置しています。サイズの制約が図られる点で、頭蓋内の場所は、好ましい実施形態です。）
オ　第８欄第１１〜３６行
「Another important aspect of the system is a buzzer that can be implanted just behind the ear on the outer or inner surface of the cranium or actually within a burr hole within the cranium. 
The buzzer
that can convert electrical signals sent from the control module into vibrations that can be picked up through bone conduction (or through the air) by the patient's ears, particularly the inner ears.
buzzer can provide an acoustic output
 In contrast to cochlear implant-type devices, the buzzer or acoustic transducer of the present invention is designed to provide 
audible information
（参考仮訳：システムのもう一つの重要な側面は、ちょうど耳の後ろの頭蓋骨の外面または内面、または実際に頭蓋骨内の穿頭孔内に埋め込むことができるブザーです。
ブザーは、制御モジュールから送信された電気信号を骨伝導を介して（又は空気を介して）患者の耳、特に内耳によってとらえることができる振動へ変換することができる
ブザーは
音声出力を提供する
　蝸牛インプラント型装置とは対照的に、本発明のブザー又は音響変換器は、通常の（または機能）聴覚レベルの人に振動を介して
音声情報
カ　第８欄第５０〜５３行
「As one embodiment of the control module is implanted into the cranium, a buzzer attached to the inside of the control module case would produce vibrations conducted by the case to the cranium and detectable by the patient's ears. 」
（参考仮訳：頭蓋骨内に埋め込まれる制御モジュールの一実施形態では、制御モジュールケースの内部に取り付けられているブザーは、ケースから頭蓋骨へ伝導し、患者の耳によって検出可能である振動を生成する。）
キ　第１１欄第２３〜２６行
「Still another object of this invention is to have the buzzer implanted in proximity to the cranium so that mechanical vibrations from the buzzer are detectable by the patient's ears. 」
（参考仮訳：本発明のさらに別の目的は、ブザーからの機械的振動が患者の耳によって検出されるように、頭蓋骨に近接して埋め込まれたブザーを持つことです。）
ク　第１４欄第３０〜３３行
「A central processing system 50 with central processor 51 and memory 55 acts to control and coordinate all functions of the implantable system 10.」
（参考仮訳：中央処理装置51とメモリ55を有する中央処理システム50は、埋め込み可能なシステム10の全ての機能の制御、調整の動作をする。）
ケ　第１５欄第３２〜４２行
「As shown in FIGS. 1 and 2, 
a buzzer 95 connected to the central processor 51
（参考仮訳：図１及び図２に示すように、リンク92を介して
中央処理装置51に接続されたブザー95
コ　第１５欄第６３〜６７行
「Such communication can be reminders to the patient to take medications, warnings that the device battery is low and needs recharging or replacements or just a daily notification that the system is functioning properly.」
（参考仮訳：このような通信は、患者へ服薬をすることの通知、装置の電池が低容量であり再充電又は交換が必要であるとの警告、又はシステムが正常に機能していることの毎日の単なるお知らせにすることができます。）
サ　第１６欄第５５〜５７行
「6. The central processor 51 may buzz to notify the patient that an event has occurred by sending a signal via the link 92 to the buzzer 95 .」
（参考仮訳：6.中央処理装置51は、リンク92を介してブザー95に送信された信号により発生したイベントを患者に”ブザー”で知らせることがあります。）
シ　第３２欄第１３〜３５行
「FIG. 20 is a top view of a thin-walled metal shell 621 that acts as a base for the control module 620.  FIG. 21 is a cross section of the control module 620 and also shows the cross section of the shell 621 as indicated by the section 21--21 in FIGS. 20.  FIG. 20 and 21 show that the shell 621 has a flange 622 and four holes through which are inserted bone screws 623 that attach the shell 621 to the bony structure of the cranium. ……The electronics module 626 contains most if not all of the electronic circuitry that is contained within the control module 620. ……The shell 621, battery 625, and electronics module 626 constitute the three major parts of the control module 620.」
（参考仮訳：図20は、制御モジュール620のためのベースとして機能する薄肉金属シェル621の上面図です。図21は、制御モジュール620の断面図であり、図２０中の断面線21-21で示されるように、シェル621の断面も示しています。図20及び21は、シェル621がシェル621を頭蓋骨の骨構造に取り付ける骨ねじ623が挿通されるフランジ部622と4つの穴を有することを示しています。……電子モジュール626は、制御モジュール620内に含まれている、全てではないがほとんどの電子回路を含んでいます。……シェル621、バッテリー625、および電子モジュール626は、制御モジュール620の三つの主要な部分を構成しています。）
ス　第３５欄第６６行〜第３６欄第８行
「FIG. 26 is a block diagram of the implanted and external portions of an alternate embodiment of the system 1010 having enhanced patient communication capabilities. This embodiment is similar to that of FIG. 2 with the buzzer 95 of FIG. 2 now called an acoustic transducer 1095 and the acoustic transducer 1095 also having connection to the event sub-system now called the signal processing sub-system 1030 that allows the acoustic transducer 1095 to act as a microphone in picking up mechanical vibrations including but not limited to human speech.」
（参考仮訳：図26は、患者の強化された通信能力を有する、システム1010の代替的実施形態の埋め込み部および外部の部分のブロック図です。この実施形態は、ここでは音響トランスデューサ1095と呼ばれる「ブザー」95を有する図２のものと同様であり、音響トランスデューサ1095は、音響トランスデューサ1095が人間の音声を含むがそれに限定されない機械的振動を拾うマイクロホンとして機能することを許容する、ここでは信号処理サブシステム1030と呼ばれるイベントサブシステムへの接続を有する。）
セ　第３７欄第２０〜４２行
「The acoustic transducer 1095 (buzzer) is connected by the link 1094 to the digital-to-analog converter 1093 that is connected to the central processor 1051 via the link 1092. The acoustic transducer 1095 can be used to notify the patient that an event has occurred or that the implanted system 1010 is not functioning properly. The acoustic transducer could provide a mechanical vibration (typically an acoustic 
signal
 It is also envisioned that 
the acoustic transducer 1095 could be part of the electronics module  626 shown in FIG. 21.
（参考仮訳：音響トランスデューサ1095（ブザー）は、リンク1092を介して中央処理装置1051に接続されたデジタル-アナログ変換器1093へのリンク1094によって接続されています。音響トランスデューサ1095は、イベントが発生したこと、または埋め込みシステム1010が正常に機能していないことを患者に通知するために使用することができます。音響トランスデューサは、患者によって知覚することができる機械的振動（通常、音響
信号
　また、
音響トランスデューサ1095は、図２１に示す電子モジュール626の一部であり得る
ソ　第３８欄第８〜２５行
「As set forth above, the buzzer 1095 or acoustic transducer of the present invention is designed to provide 
audible information
These sounds are transmitted to the patient's ears, preferably via bone conduction through the cranium,
（参考仮訳：上述したように、本発明のブザー1095または音響トランスデューサは、通常の（または機能）聴覚レベルの人に、振動を介して音声情報を提供するように設計されています。ブザー、トーン、トーンの連続又は組み合わせ、複雑なサウンド、または、再生または合成された人間の音声のセグメントは、装置の状態または機能、または装置により識別された状況を患者に提供するために、様々な実施形態によって本発明で使用される。
これらの音は、
好ましくは頭蓋骨を通した骨伝導により、患者の耳に送信されます。
タ　第３９欄第６１〜６４行
「The real time clock 91 is useful if a daily message such as System OK is played at noon each day to the patient through the acoustic transducer 1095.」
（参考仮訳：リアルタイムクロック91は、「システムOK」のような日時のメッセージを毎日正午に患者に音響トランスデューサ1095を介して再生する場合に便利です。）
チ　以上の摘記事項ア〜タを技術常識を踏まえ、本件発明に合わせて整理すると、刊行物１には、以下の発明（以下、「引用発明」という。）が記載されている。
「埋め込み型デバイスであって、
ａ）中央処理システム50と、
ｂ）周囲の頭蓋骨へとイベントが発生した場合に音を放出する中央処理システム50により制御される音響トランスデューサ1095とを有し、
前記音が、前記埋め込み型デバイスが埋め込まれた患者の耳によって検出可能な信号であり、
前記放出された音が、音声情報である、埋め込み型デバイス。」
２　刊行物２  　
　原査定の拒絶の理由で周知技術を示す引用文献３として引用された、本願の優先日前に頒布された刊行物である米国特許第６６３１１９７号明細書には、次の事項が記載されている。（下線、仮訳は、理解の便のため、当審で付した。）
ア　第１欄
「FIELD OF THE INVENTION 
 The present invention relates generally to communication systems, and more particularly, to transducers and transduction methods for reproducing wide audio bandwidth sound using bone conduction of an ultrasonic carrier within a communication system.」
（参考仮訳：発明の分野
　本発明は、通信システムに関し、特に、通信システム内の超音波キャリアの骨伝導を使用して、広い音声帯域の音を再生するための変換器と伝達方法に関する。）
イ　第１欄
「BACKGROUND INFORMATION 
 Communication systems typically operate with transducers that convert audio acoustic signals into electrical signals, and vice versa. The audio acoustic signals are airborne or bone conducted sound pressure waves having frequencies within the bandwidth detectable by the human ear (acoustic signals having frequencies between approximately 20 Hertz (Hz) to 20 kiloHertz (kHz)). 
 It is well known that bone conduction can and does carry audible vibrations directly to the middle and inner ear which, if in the audible range of frequencies, are heard as sound. Hearing aids based on this effect are presently available. Ultrasonic acoustic signals are not output from typical audio circuits because these signals possess frequencies outside the bandwidth detectable by the human ear, and produce inaudible sound pressure waves. 」
（参考仮訳：背景情報
　通信システムは、一般的に電気信号に音声の音響信号を変換する変換器、及びその逆で動作します。 オーディオ音響信号は、空気伝達または骨伝導する人間の耳（約20ヘルツ（Hz）から20キロヘルツ（kHz）の間の周波数を有する音響信号）によって検出可能な帯域幅内の周波数を有する音圧波である。
骨伝導は、可聴範囲内の周波数である場合は音として聞こえるように、中耳又は内耳へ直接可聴振動を伝達することが知られている。この効果に基づく補聴器は現在利用可能です。超音波音響信号は、この信号が人間の耳で検出可能な帯域幅外の周波数を有し、聞こえない音の圧力波を生成するため、一般的なオーディオ回路から出力されません。）
ウ　第４欄第２３〜３２行
「An exemplary communication device of the present invention comprises: means for establishing an ultrasonic signal; means for modulating the ultrasonic signal with an audio signal using carrier plus single sideband modulation to produce a modulated ultrasonic signal at an output; and means for mounting the output in proximity to a human ear at a location where 
bone conduction will transport the modulated ultrasonic signal
（参考仮訳：本発明の例示的な通信装置は次を含む。超音波信号を確立するための手段、変調された超音波信号を単一出力として生成する、単側波帯変調が付された搬送波を使用するオーディオ信号を含む超音波信号を変調するための手段、非可聴の超音波音響エネルギーとしてオーディオ信号を受信する耳に関連した聴覚機構へ
骨伝導が変調された超音波信号を搬送する
エ　第４欄第３３〜５６行
「Exemplary embodiments of the present invention provide significant advantages. For example, where a communication device configured in accordance with the present invention is used as the speaker transducer worn by the user, the output from the transducer can be directed toward the skull of the user and, due to the non-linearities of the ear itself, result in perceptible sound to the user. However, since audio acoustic energy is not produced in the air, audio acoustic sound is not radiated from the transducer. As such, others in the vicinity of the user will hear no sound from the transducer, thereby providing secure secret communication. This is particularly useful in surveillance or covert operations. Other people near the user will not be annoyed by incoming signal sounds produced by the communication device, even in the most quiet of environments, because audible sounds are not supplied to the user's outer ear. ……
 Exemplary embodiments can be configured of small size and light weight, such that they are comfortable to wear and yet still achieve the benefits of secrecy and quiet operation.」
（参考仮訳：本発明の例示的な実施形態は、重要な利点を提供します。 例えば、本発明に従って構成された通信装置は、ユーザが装着するスピーカー変換器として使用される場合、変換器からの出力は、ユーザの頭蓋骨に向けることができ、および、耳それ自体の非線形性に起因し、ユーザに知覚音をもたらします。しかしながら、オーディオ音響エネルギーは空気中で生み出されないので、オーディオ音響音は、トランスデューサから放射されていません。このように、ユーザの近傍の他の人がトランスデューサからの音が聞こえなくなり、それによって安全で秘密通信が提供されます。これは、監視や隠れた操作に特に有用です。ユーザーの近くの他の人々は、可聴音がユーザの外耳に供給されていないため、最も静かな環境の中であっても、通信デバイスによって生成される入力信号の音に悩まされることはありません。……
　例示的な実施形態では小型・軽量に構成することができ、快適に着用し、
秘密で静かな動作という利点を達成します。）
オ　第６欄第１０〜３９行
「The output device 108 is an ultrasonic transducer, or transducers.……
 A means for mounting the transducer or transducers is represented as an ear mount 112 that can be located behind the ear (……) of the user, or can be configured to be placed in any other convenient location near the user's ear. Where a behind-the-ear device is used, the ultrasound signals can be conveyed to the ear of the user via bone conduction through the user's skull. …… In either case, the mounting means is configured to mount an output of the 
ultrasonic transducer
the audio signal via bone conduction
（参考仮訳：出力装置108は、超音波トランスデューサ、またはトランスデューサです。……トランスデューサの取り付け手段がユーザの耳の背後に配置すること又はユーザの耳の近傍の好適な位置に配置することがができるイヤーマウント112として示されている。耳かけ型装置が使用される場合、超音波信号は、ユーザの頭蓋骨を介して骨伝導によりユーザの耳に伝達することができます。……いずれの場合においても、取り付け手段は、
超音波トランスデューサ
骨伝導により音声信号を
               
カ　第１０欄第３〜５行
「Exemplary embodiments can be incorporated in a communication device used merely as a conduit for audio information to the user. 」
（参考仮訳：例示的な実施形態は、ユーザへ音声情報を伝えるための導管として使用される通信機器に組み込むことができます。）
第５　対比
　本件発明と引用発明とを対比する。
ア　引用発明の「中央処理システム50」は、中央処理装置51とメモリ55を有するものであって、埋め込み可能なシステム10の全ての機能の制御、調整の動作をするものであるから（刊行物１の摘記事項ク参照）、本件発明の「制御ユニット」に相当する。
イ　引用発明の「頭蓋骨」は、人体の部位であるから、本件発明の「体物質」に相当する。
ウ　本件発明の「周囲の体物質へと
選択的に
selectively
　また、音を放出することが選択的であるとは、必ずしも明瞭でないことから、さらに検討する。音が「情報を表す」（段落【００１６】）、「音声ビープ音」（段落【００３７】）、「異なるトーン」（段落【００４０】）であること等を総合的に考慮すれば、音が時間的、音量的、音階的又は内容的に選択され、変化する、つまり音が時間的、音量的、音階的又は内容的等の観点で一定でない、と解することが適切である。
　引用発明の「所定の音」とは、ブザー、トーン、トーンの連続又は組み合わせ、合成または複製された複合音、または人間の音声のセグメント等であって（刊行物１の摘記事項オ参照）、何らかのイベントが発生した際に放出される（刊行物１の摘記事項ケ参照）ものであって、ある時間においては音は放出されておらず、ある時点においては音は放出されているものと認められるから、常時放出するとはされていない。つまり、放出の時期が選ばれてなされる、要するに、音が選択的に放出されているといえる。
　よって、引用発明の「イベントが発生した場合に音を放出する」とは、本件発明の「選択的に音を放出する」に相当する。
エ　引用発明の「音響トランスデューサ1095」は、電気信号を音へ変換する結果、自然に音を出力することとなり、音を送信する（transmit）機能をも有するものであるから（刊行物１の摘記事項ソ参照）、本件発明の「送信機」（transmitter）に相当する。
オ　引用発明の「埋め込み型デバイスが埋め込まれた患者」は、本件発明の「埋め込み型デバイスの搬送者」に相当し、引用発明の「患者の耳によって検出可能な信号」は、耳による検出とは聴くことに他ならないから、本件発明の「搬送者にとって可聴的な信号」に相当する。
　また、本件発明の「音が……信号を生み出」すは、音とは圧力波であって何かを産出する主体ではないことから、必ずしも明確ではないが、音は信号の一種であるから、当該発明特定事項は、「音は……信号である」と解釈することが適当である。よって、本件発明の「音が……信号を生み出」すことは、引用発明の「音が……信号であ」ることと、同義であるといえるから、両者は相当する。
カ　以上から、本件発明と引用発明とは、以下の点で一致し、また、以下の点で相違する。 
＜一致点＞
「埋め込み型デバイスであって、
　ａ）制御ユニットと、
　ｂ）周囲の体物質へと選択的に音を放出するため前記制御ユニットにより
制御される送信機とを有し、
　前記音が、前記埋め込み型デバイスの搬送者にとって可聴的な信号を生み出す、埋め込み型デバイス。」
＜相違点＞
　本件発明は「放出された音が、何らかの音声成分を含む変調された超音波周波数を有する」ものであるのに対し、引用発明は「放出された音が、音声情報である」点。
第６　判断
　刊行物１には、骨伝導を介して患者に音声情報を伝えることが記載されている（刊行物１の摘記事項オ参照）。骨伝導に関する技術に関して、変調された超音波信号を用いることは、周知である（例えば、上記刊行物２の摘記事項ウ、拒絶査定で提示された特開２００４−１５８９６１号公報（特に、段落【０００２】参照）、特開２００３−１８９３８１号公報（特に、段落【０００３】参照））。また、骨伝導に関して、可聴周波数であると周囲に音が漏れるが、変調された超音波信号を用いると周囲に音が漏れないという利点があることも知られている（刊行物２の摘記事項エ、上記特開２００３−１８９３８１号公報（特に、段落【０００２】、【０００３】参照。）。
　してみれば、骨伝導を用いる引用発明において、骨伝導の実現方式としてどのような周波数を用いるかは、それぞれの利点等を考慮して適宜選択し得る程度の事項にすぎない。よって、引用発明において、音を放出する際に音声情報を変調された超音波周波数で行うことに困難性があったものとは認められない。
　そして、本件発明の奏する作用効果は、上記引用発明及び周知技術の奏する作用効果から予測される範囲内のものにすぎず、格別顕著なものということはできない。
第７　まとめ
　以上のとおりであるから、本件発明は、特許法第２９条第２項の規定により特許を受けることができないものであり、本願は、他の請求項について検討するまでもなく、拒絶すべきものである。
　よって、結論のとおり審決する。